(57)【要約】【課題】積み重ねた状態において、各ＲＦ−ＩＤタグへの個別アクセスが可能な書籍を効率良く製本する製本方法を提供すること。【解決手段】少なくとも２冊以上の複数の単位ロット冊数の書籍１を製本するに当たって、ＲＦ−ＩＤタグ１０を保持するためのタグページ１３となるタグシート１３０にアンテナパターン１１を形成するアンテナ形成工程と、タグシート１３０にＩＣチップ１２を配設するチップ配設工程と、タグシート１３０と頁となる紙片３０とを丁合する丁合工程とを実施する。丁合工程では、ＩＣチップ１２と電気的に接続されたアンテナパターン１１の配設位置が、タグページ１３において、単位ロット冊数の書籍１毎に全て相違するようにタグシート１３０及び紙片３０を丁合する。【選択図】図１
2006137014.tif 000002
【特許請求の範囲】
【請求項１】
ＩＣチップとアンテナパターンとを含むＲＦ−ＩＤタグを有する書籍の製本方法であって、
少なくとも２冊以上の複数の単位ロット冊数の書籍を製本するに当たって、
ＲＦ−ＩＤタグを保持するタグページとなるタグシートにアンテナパターンを形成するアンテナ形成工程と、
上記タグシートに上記ＩＣチップを配設するチップ配設工程と、
上記タグシートと頁をなす紙片とを丁合する丁合工程と、
該丁合工程により丁合した上記タグシート及び上記紙片を製本する綴じ工程とを含み、
上記丁合工程では、上記タグページにおける上記アンテナパターンの配設位置が、上記単位ロット冊数の書籍毎に全て相違するように上記タグシート及び上記紙片を丁合することを特徴とする書籍の製本方法。
【請求項２】
請求項１において、上記アンテナ形成工程では、上記単位ロット冊数と同数の複数の上記アンテナパターンを上記タグシートに形成し、上記チップ配設工程では、上記単位ロット冊数の書籍毎に、上記ＩＣチップを電気的に接続する上記アンテナパターンを変更することを特徴とする書籍の製本方法。
【請求項３】
請求項２において、上記チップ配設工程では、上記単位ロット冊数の書籍に渡って、略同一の位置に上記ＩＣチップを配設すると共に、上記複数のアンテナパターンのうち、選択したひとつのアンテナパターンのみと上記ＩＣチップとの電気的な接続状態を形成することを特徴とする書籍の製本方法。
【請求項４】
請求項１において、上記アンテナ形成工程では、上記単位ロット冊数の書籍毎に、上記タグシートにおける異なる位置に上記アンテナパターンを形成することを特徴とする書籍の製本方法。
【請求項５】
ＩＣチップとアンテナパターンとを含むＲＦ−ＩＤタグを保持するタグページを有する書籍を製本するために、上記タグページとなるタグシートを切り出すための製本用の連続シートであって、
該連続シートは、少なくとも２以上の複数の上記アンテナパターンを含む上記タグシートを切り出すように構成してあることを特徴とする製本用の連続シート。
【請求項６】
ＩＣチップとアンテナパターンとを含むＲＦ−ＩＤタグを保持するタグページを有する書籍であって、
請求項５の製本用の連続シートから切り出した上記タグシートを上記タグページとし、該タグページにおいて、上記タグシートに形成された上記複数のアンテナパターンのうちのいずれかひとつのアンテナパターンと上記ＩＣチップとが電気的に接続してあることを特徴とする書籍。
【発明の詳細な説明】
【技術分野】
【０００１】
本発明は、電子管理用のＲＦ−ＩＤタグを有する書籍に関する。
【背景技術】
【０００２】
従来より、非接触で情報の読み出しや書き込みが可能な非接触ＩＤタグ（ＲＦ−ＩＤタグ）を取り付けた書籍や雑誌等がある。この書籍等によれば、ＲＦ−ＩＤタグに記憶させた情報を利用して電子管理が可能である。それ故、ＲＦ−ＩＤタグを取り付けた書籍等は、万引き防止のみならず、流通管理や在庫管理が容易である。
【０００３】
上記のＲＦ−ＩＤタグは、アンテナとＩＣチップとを有してなる。そして、アンテナを介して供給された電力を利用してＩＣチップを駆動し、外部からのＩＣチップへのアクセスを可能としている。書籍等に取り付けるＲＦ−ＩＤタグとしては、例えば、平面アンテナとして機能するアンテナパターンを形成したシート状の基材に、ＩＣチップを配設したものが利用されている。そして、製本ラインを構成する装置として一般的な貼り込み装置等を利用して、シート状のＲＦ−ＩＤタグをページや表紙に貼り付ける場合がある（例えば、特許文献１参照。）。
【０００４】
しかしながら、上記従来の書籍等では、次のような問題がある。張り込み装置を用いてページ面上の略同一の位置にＲＦ−ＩＤタグを貼り付けした場合、流通時や保管時など書籍を積み重ねた状況において、各書籍のＲＦ−ＩＤタグへの個別アクセスが難しいという問題があった。
【０００５】
【特許文献１】特開２００３−１１５４３号公報
【発明の開示】
【発明が解決しようとする課題】
【０００６】
本発明は、上記従来の問題点に鑑みてなされたものであり、積み重ねた状態であっても各ＲＦ−ＩＤタグへの個別アクセスが可能な書籍を効率良く製本する製本方法、この製本方法に利用する製本用の連続シート及びこの連続シートを利用して製本した書籍を提供しようとするものである。
【課題を解決するための手段】
【０００７】
第１の発明は、ＩＣチップとアンテナパターンとを含むＲＦ−ＩＤタグを有する書籍の製本方法であって、
少なくとも２冊以上の複数の単位ロット冊数の書籍を製本するに当たって、
ＲＦ−ＩＤタグを保持するタグページとなるタグシートにアンテナパターンを形成するアンテナ形成工程と、
上記タグシートに上記ＩＣチップを配設するチップ配設工程と、
上記タグシートと頁をなす紙片とを丁合する丁合工程と、
該丁合工程により丁合した上記タグシート及び上記紙片を製本する綴じ工程とを含み、
上記丁合工程では、上記タグページにおける上記アンテナパターンの配設位置が、上記単位ロット冊数の書籍毎に全て相違するように上記タグシート及び上記紙片を丁合することを特徴とする書籍の製本方法にある（請求項１）。
【０００８】
上記第１の発明の書籍の製本方法における上記丁合工程では、上記タグページにおける上記アンテナパターンの配設位置が、上記単位ロット冊数の書籍毎に全て相違するように上記タグシート及び上記紙片を丁合させる。そのため、この製本方法により製本した上記単位ロット冊数の書籍では、積み重ねた状態において、その積層方向に各ＲＦ−ＩＤタグが重合するおそれが少ない。それ故、これらの書籍によれば、積み重ねた状態であっても各ＲＦ−ＩＤタグに個別にアクセス可能である。そのため、この製本方法により製本した書籍は、その流通時や保管時等において積み重ねて梱包等した状態でも個別の管理が可能となる。
【０００９】
以上のように、上記第１の発明の製本方法によれば、積み重ねた状態においても個別の電子管理が可能な書籍を効率良く製本することができる。
なお、上記書籍とは、ハードカバーや文庫本等の書籍のほか、雑誌等を含む全ての紙媒体による刊行物をいう。そして、上記タグページを有する上記書籍は、上記ＲＦ−ＩＤタグを利用して流通管理することが容易である。販売までの流通段階だけでなく、販売後の中古販売ルートの管理も可能である。中古販売ルートを管理できれば、上記書籍の不正流通を容易に発見できる。一方、上記タグページが故意に切り離された書籍については、買取店で買取を禁止するようにルール化すれば、万引き等の犯罪を未然に抑止し得る。
【００１０】
第２の発明は、ＩＣチップとアンテナパターンとを含むＲＦ−ＩＤタグを保持するタグページを有する書籍を製本するために、上記タグページとなるタグシートを切り出すための製本用の連続シートであって、
該連続シートは、少なくとも２以上の複数の上記アンテナパターンを含む上記タグシートを切り出すように構成してあることを特徴とする製本用の連続シートにある（請求項５）。
【００１１】
上記第２の発明の製本用の連続シートは、上記タグページとなる上記タグシートを切り出すためのものである。そして、この連続シートは、少なくとも２以上の複数の上記アンテナパターンを含む上記タグシートを切り出すことができるように構成してある。なお、上記連続シートによれば、異なるサイズのタグシートを切り出すこともできる。例えば、複数のアンテナパターンを包含するＡ４サイズのタグシートを切り出し可能に構成した上記連続シートによれば、Ａ３サイズやＡ５サイズのタグシートを切り出すことも可能である。
【００１２】
そして、上記連続シートから切り出したタグシートは、配設位置が異なる複数のアンテナパターンを有している。それ故、このタグシートを用いれば、上記ＩＣチップと電気的に接続する上記アンテナパターンを選択的に切り替えることができる。そして、上記ＩＣチップと電気的に接続したアンテナパターンが異なるタグシートを含めて丁合して製本すれば、ＲＦ−ＩＤタグを構成するアンテナパターンの配設位置が異なる書籍を効率良く製造することができる。なお、上記連続シートとしては、例えば、ロール状に巻回すれば、運搬や保管に便利である。
【００１３】
第３の発明は、ＩＣチップとアンテナパターンとを含むＲＦ−ＩＤタグを保持するタグページを有する書籍であって、
上記第２の発明の製本用の連続シートから切り出した上記タグシートを上記タグページとし、該タグページにおいて、上記タグシートに形成された上記複数のアンテナパターンのうちのいずれかひとつのアンテナパターンと上記ＩＣチップとが電気的に接続してあることを特徴とする書籍にある（請求項６）。
上記第３の発明の書籍は、上記第２の発明の製本用の連続シートから切り出した上記タグシートを丁合して製本したものである。上記タグシートによれば、上記ＩＣチップと電気的に接続される上記アンテナパターンを選択的に切り替え可能である。それ故、上記連続シートを用いれば、ＲＦ−ＩＤタグを構成するアンテナパターンの配設位置が異なる書籍を容易に製本することができる。
【発明を実施するための最良の形態】
【００１４】
上記第１の発明の上記タグシート及び、上記第２、第３の発明の上記製本用の連続シートとしては、ポリエチレン（ＰＥ）、ポリエチレンテレフタレート（ＰＥＴ）、ポリプロピレン（ＰＰ）等の樹脂フィルムや、紙などを用いることができる。また、上記アンテナパターンとしては、銀、黒鉛、塩化銀、銅、ニッケルなどを含有する導電性インクの印刷や、銅エッチングなどにより形成することができる。さらにまた、上記ＩＣチップとしては、半導体素子そのものであっても良く、半導体素子をプラスチック樹脂等によりパッケージングしてなるものであっても良く、半導体素子をシート状の基材の表面に実装してなるインターポーザであっても良い。
【００１５】
上記第１の発明における上記アンテナ形成工程では、上記単位ロット冊数と同数の複数の上記アンテナパターンを上記タグシートに形成し、上記チップ配設工程では、上記単位ロット冊数の書籍毎に、上記ＩＣチップを電気的に接続する上記アンテナパターンを変更することが好ましい（請求項２）。
この場合には、上記ＩＣチップを電気的に接続する上記アンテナパターンを変更することで、実際に情報を送受信するアンテナパターン、すなわち上記ＲＦ−ＩＤタグを構成するアンテナパターンの配置が異なる単位ロット冊数の書籍を効率良く製本することができる。
【００１６】
また、上記チップ配設工程では、上記単位ロット冊数の書籍に渡って、略同一の位置に上記ＩＣチップを配設すると共に、上記複数のアンテナパターンのうち、選択したひとつのアンテナパターンのみと上記ＩＣチップとの電気的な接続状態を形成することが好ましい（請求項３）。
この場合には、上記ＩＣチップを配設する位置を全て共通にすることで、上記チップ配設工程の作業効率を高めることができる。
ここで、上記ＩＣチップと上記アンテナパターンとの電気的な接続状態を形成する方法としては、２つの方法がある。１つの方法は、上記ＩＣチップを配設すると同時に、選択したアンテナパターンと上記ＩＣチップとの電気的な接続経路を完成する方法である。この方法としては、例えば、各アンテナパターンについて電気的な未接続箇所を設けておき、ＩＣチップを配設すると同時に、選択したアンテナパターンとＩＣチップとの間の未接続箇所に導電性インク等を印刷して電気的に短絡させる方法がある。
【００１７】
もう１つの方法は、上記ＩＣチップを配設すると同時に、選択したアンテナパターン以外のアンテナパターンとの電気的な経路を切断する方法である。この方法としては、例えば、各アンテナパターンについて、少なくとも１カ所に、切断し易い箇所を設けておき、ＩＣチップを配設すると同時に、選択したもの以外のアンテナパターンの上記切断容易箇所を電気的に切断する方法がある。さらに、このとき、ＩＣチップを配設すると同時に、選択したアンテナパターンの切断容易箇所に、例えば、樹脂インク等を印刷して保護すれば、形成したＲＦ−ＩＤタグに電気的なトラブルが発生するおそれも抑制できる。
【００１８】
また、上記アンテナ形成工程では、上記単位ロット冊数の書籍毎に、上記タグシートにおける異なる位置に上記アンテナパターンを形成することが好ましい（請求項４）。
この場合には、上記書籍毎に異なる位置に形成したアンテナパターンと、ＩＣチップとを電気的に接続することで、ＩＣチップの配設位置を共通にして上記チップ配設工程の作業効率を高めることができる。
【実施例】
【００１９】
（実施例１）
本例は、ＲＦ−ＩＤタグ１０を有する書籍１あるいは雑誌の製本方法に関する。この内容について、図１〜図７を用いて説明する。
本例は、図１に示すごとく、ＩＣチップ１２とアンテナパターン１１とを含むＲＦ−ＩＤタグ１０を有する書籍１の製本方法に関する例である。
本例の書籍の製本方法では、少なくとも２冊以上の複数の単位ロット冊数の書籍１を製本するに当たって、ＲＦ−ＩＤタグ１０を保持するためのタグページ１３となるタグシート１３０にアンテナパターン１１を形成するアンテナ形成工程と、タグシート１３０にＩＣチップ１２を配設するチップ配設工程と、タグシート１３０と頁となる紙片３０とを丁合する丁合工程と、該丁合工程により丁合したタグシート１３０及び紙片３０を製本する綴じ工程とを実施する。
ここで、丁合工程では、タグページ１３におけるアンテナパターン１１の配設位置が、上記単位ロット冊数の書籍１毎に全て相違するようにタグシート１３０及び紙片３０を丁合する。
以下に、この内容について詳しく説明する。
【００２０】
本例の書籍１は、図１に示すごとく、ＲＦ−ＩＤタグ１０を保持するタグページ１３を含むＡ４版のものである。そして、本例では、上記単位ロット冊数としては、書籍１を積み重ねて段ボール箱６（図６参照。）に収容する冊数である８冊を設定した。
タグページ１３は、文字等を印刷する紙片３０よりなる頁とは独立している。そして、本例のタグページ１３には、ＲＦ−ＩＤタグ１０が露出している。
【００２１】
なお、タグページ１３は、表紙２１や裏表紙２２に貼り合わせることもできる。さらになお、タグページ１３と紙片３０とを貼り合わせてＲＦ−ＩＤタグ１０を隠すことも良く、本例のようにＲＦ−ＩＤタグ１０を露出させることも良い。ＲＦ−ＩＤタグ１０を露出させる場合には、万引き抑止効果を向上できるという効果がある。
【００２２】
本例の書籍１は、丁合したタグシート１３０及び紙片３０の１辺がなす側面に、ホットメルト接着剤を介して背表紙２３を接合した無線綴じ製本によるものである。これに代えて、丁合した紙片３０及びタグシート１３０の折り曲げ中心線に沿って、ホチキス止めあるいは糸止めした中綴じ製本による書籍や雑誌等であっても良い。
【００２３】
ＲＦ−ＩＤタグ１０は、図１に示すごとく、ＩＣチップ１２と、該ＩＣチップ１２から電気的に延設された平面アンテナとして機能するアンテナパターン１１とを組み合わせたものである。
ＩＣチップ１２は、アンテナパターン１１を介して外部から供給された電力により駆動されると共に、メモリであるＲＯＭ及びＲＡＭを備えている。本例では、ＩＣチップ１２として、半導体素子をシート状の基材の表面に実装してなるインターポーザ状のものを用いた。
【００２４】
ＲＦ−ＩＤタグ１０は、上記アンテナパターン１１を介した外部アクセスにより、上記ＲＯＭあるいは上記ＲＡＭに格納した情報を読み出すと共に、新たな情報をＲＡＭに書き込めるように構成してある。ここで、平面アンテナとして機能する本例のアンテナパターン１１は、その形成面、すなわち、タグページ１３がなす頁面の法線方向に感度を有している。
【００２５】
タグシート１３０は、図１及び図２に示すごとく、Ａ４サイズのタグページ１３をなすものである。このタグシート１３０は、その幅方向に細長く形成したアンテナパターン１１を８パターン、有している。本例では、タグシート１３０の長辺方向に、８パターンのアンテナパターン１１を配設してある。
アンテナパターン１１は、１箇所において切り欠きを有する略環状を呈している。そして、ＩＣチップ１２を配設するためのチップ配設領域１２０を、上記切り欠き部分に有している。そして、チップ配設領域１２０にＩＣチップ１２を配設したとき、そのアンテナパターン１１がＲＦ−ＩＤタグ１０を形成する。なお、本例のタグシート１３０では、８箇所あるチップ配設領域１２０のうちのいずれにＩＣチップ１２を配設するかにより、ＲＦ−ＩＤタグ１０を構成するアンテナパターン１１の配置を切り替えることができる。
【００２６】
本例のアンテナパターン１１は、銀ペーストよりなる導電性インクを印刷して形成したものである。この導電性インクとしては、銀ペーストのほか、黒鉛ペースト、塩化銀ペースト、銅ペースト、ニッケルペースト等を利用することができる。さらに、銅エッチング等によりアンテナパターン１１を形成することも可能である。
【００２７】
次に、本例の書籍１の製本手順について説明する。
本例の製本方法では、まず、上記丁合工程を実施するのに先立って、頁をなす紙片３０及びタグページ１３となるタグシート１３０を個別に準備する。特に、本例の製本方法では、アンテナ形成工程とチップ配設工程とを実施することにより、タグページ１３となるタグシート１３０を準備した。
【００２８】
具体的には、アンテナ形成工程では、図３に示すごとく、ＰＥＴよりなるシート４１の表面に、図示しない印刷装置を用いてアンテナパターン１１を印刷した。このシート４１のシート幅は、Ａ４サイズの短辺の長さに対応している。本例では、シート４１の幅方向に細長いアンテナパターン１１を、シート４１の長手方向に連続的に形成した。ここで、本例では、図４に示すごとく、タグシート１３０を切り出す領域中に、８パターンのアンテナパターン１１が含まれるよう、シート４１の表面にアンテナパターン１１を印刷した。
【００２９】
なお、本例では、図３に示すごとく、アンテナパターン１１を形成してない加工前のシート４１を送り出すと共に、その一部を略平面状の作業台上に展開してアンテナパターン１１を印刷し、送り出し方向前方側で再度、巻き取ることでロール状の製本用の連続シート４０を作製した。そして、後工程であるチップ配設工程は、この製本用の連続シート４０を用いて実施した。この連続シート４０は、タグページ１３となるタグシート１３０を切り出すためのものである。連続シート４０は、その長手方向に連続的に複数の上記アンテナシートパターン１１を配設してなり、少なくとも２以上の複数のアンテナパターン１１を含むＡ４サイズのタグシート１３０を切り出すように構成してある。この連続シート４０から切り出した本例のタグシート１３０は、その長辺方向に沿って８つのアンテナパターン１１を有する。
なお、本例の連続シート４０によれば、Ａ４サイズのほか、Ａ５サイズのタグシート１３０を切り出すこともできる。この連続シート４０から切り出したＡ５サイズのタグシート１３０は、その短辺方向に沿って４つのアンテナパターン１１を有する。
【００３０】
上記チップ配設工程では、図４に示すごとく、上記の連続シート４０を送り出すと共に、その先端部を略平面上の作業台（図示略）上に展開してＩＣチップ１２の配設を行った。そして、ＩＣチップ１２を配設した後、タグページ１３となる略Ａ４サイズのタグシート１３０を切り出した。ここで、本例のチップ配設工程では、ＩＣチップ１２と電気的に接続するアンテナパターン１１を順次、変更した。これにより、タグページ１３において、アンテナパターン１１の配置が異なる単位ロット冊数の書籍１（図１参照。）を製本することができる。
【００３１】
次に、上記丁合工程では、図５に示すごとく、予め準備した紙片３０と、タグページ１３となるタグシート１３０とを、所定の順番で積層して丁合する。本例では、各ページをなす紙片３０あるいはタグシート１３０を個別に保持して、所定の順番で供給するように構成された丁合装置５を用いて上記丁合工程を実施した。
【００３２】
次に、上記綴じ工程を実施する。この綴じ工程を実施するに当たって、予め、紙片３０及びタグシート１３０を丁合した積層体１ａの外周縁部をカットして切り揃えた。そして、綴じ工程では、表表紙２１と裏表紙２２とが背表紙２３を介して連結されたものを用意（図１参照。）し、背表紙２３の内側に、ホットメルトよりなる接着剤層（図示略）を形成した。そして、上記積層体１ａにおける綴じ側の側面に、上記接着剤層が当接するように背表紙２３を取り付けた。この状態で、接着剤層を加熱することにより、ホットメルトを溶融させて接着した。これにより、図１に示すごとく、上記積層体１ａの両面を表表紙２１と裏表紙２２とにより装丁した書籍１を得た。
【００３３】
本例の書籍１によれば、図６に示すごとく、単位ロット冊数である８冊、積み重ねて段ボール箱６に梱包した状態においても、ＲＦ−ＩＤタグ１０をなすアンテナパターン１１の配置が積層方向に重合するおそれが少ない。
ここで、平面アンテナとして機能するアンテナパターン１１は、図１に示すごとく、配設面（タグページ１３面がなす面。）の法線方向に感度を有している。そのため、本例の書籍１では、外部機器等から延設された外部アンテナ（図示略）を、タグページ１３に対面するように位置させることにより、アンテナパターン１１を介してＩＣチップ１２をコントロール可能である。
【００３４】
上記のように、本例の単位ロット冊数の書籍１では、図６に示すごとく、ＲＦ−ＩＤタグ１０をなすアンテナパターン１１が、積み重ね方向において重なり合わないように配置してある。それ故、本例の書籍１では、積み重ねた状態であっても、各ＲＦ−ＩＤタグ１０のアンテナパターン１１に対して外部アンテナを対面させることができる。そのため、外部アンテナから各ＲＦ−ＩＤタグ１０への個別アクセスが可能となり、積み重ねた書籍１の個別管理が可能となる。
なお、本例では、図２に示すごとく、タグシート１３の表面において、その長手方向に複数のアンテナパターン１１を設けた。これに代えて、図７に示すごとく、タグシート１３の表面に放射状のアンテナパターン１１を設けることもできる。
【００３５】
（実施例２）
本例は、実施例１の製本方法に基づいて、アンテナ形成工程において形成するアンテナパターン１１を変更した例である。この内容について、図８〜図１１を用いて説明する。
本例のアンテナ形成工程では、図８に示すごとく、複数のアンテナパターン１１と共に、チップ配設領域１２０を有するチップ側パターン１２１を形成する。ここで、チップ配設パターン１２１と各アンテナパターン１１とは、電気的に未接続の状態である。選択したひとつのアンテナパターン１１の両端を、ＩＣチップ１２を実装したチップ配設パターン１２１と電気的に接続することで、ＲＦ−ＩＤタグ１０を構成することができる。
【００３６】
チップ配設工程では、図９に示すごとく、チップ側パターン１２１にＩＣチップ１２を配設すると共に、１つのアンテナパターン１１を選択し、このアンテナパターン１１とチップ側パターン１２１との間の電気的経路を完成するように導電性インクを印刷する。これにより、ＩＣチップ１２と、選択したアンテナパターン１１との間の電気的な接続状態を確立する。本例では、これにより、ＲＦ−ＩＤタグ１０を構成した。
その他の構成及び作用効果については、実施例１と同様である。
【００３７】
なお、本例に代えて、図１０に示すごとく、タグシート１３０の表面に、チップ側パターン１２１と、複数のアンテナパターン１１との間の電気的な経路を並列的に設けると共に、各アンテナパターン１１とチップ側パターン１２１との間に容易に切断し得る切断容易箇所１２９を設けることも良い。この場合には、図１１に示すごとく、チップ配設工程においてＩＣチップ１２を配設すると共に、選択したアンテナパターン１１ａ以外のアンテナパターン１１の切断容易箇所１２９（同図中、符号１２９ａで示す箇所。）を切断することで、本例と同様の構成とすることができる。なお、切断容易箇所１２９としては、容易に剥離し得るように配設した導電性部材により形成することができる。さらになお、電気的な接続状態を維持した切断容易箇所１２９（同図中、符号１２９ｂで示す箇所。）については、その表面に、例えば、アクリルやエポキシやウレタンなどの樹脂塗料よりなる保護コーティング層を設けることや、保護用の樹脂フィルムを貼付することも有効である。この場合には、ＲＦ−ＩＤタグ１０の信頼性を、長期間に渡って向上させることができる。
【００３８】
（実施例３）
本例は、実施例１に基づいて、上記製本用の連続シートを変更した例である。この内容について、図１２を用いて説明する。
本例の連続シート４０では、タグシート１３０の切り出し領域毎に、アンテナパターン１１の配設位置を変更してある。そして、このアンテナパターン１１の配設位置のバリエーションは、上記単位ロット冊数分だけ設定してある。
【００３９】
なお、本例では、アンテナパターン１１の配設位置に応じてそのパターン形状を変更することにより、ＩＣチップ１２の配設位置を共通にすることも良い。
なお、その他の構成及び作用効果については、実施例１と同様である。
【図面の簡単な説明】
【００４０】
【図１】実施例１における、ＲＦ−ＩＤタグを有する書籍を示す斜視図。
【図２】実施例１における、アンテナパターンを形成したタグシートを示す斜視図。
【図３】実施例１における、アンテナパターンを印刷した連続シートを示す斜視図。
【図４】実施例１における、チップ配設工程を説明する説明図。
【図５】実施例１における、丁合工程を説明する説明図。
【図６】実施例１における、梱包状態の書籍を示す断面図。
【図７】実施例１における、その他のタグシートを示す正面図。
【図８】実施例２における、アンテナパターンを形成したタグシートを示す正面図。
【図９】実施例２における、ＲＦ−ＩＤタグを形成したタグシートを示す正面図。
【図１０】実施例２における、アンテナパターンを形成したその他のタグシートを示す正面図。
【図１１】実施例２における、ＲＦ−ＩＤタグを形成したその他のタグシートを示す正面図。
【図１２】実施例３における、連続シートを示す斜視図。
【符号の説明】
【００４１】
１  書籍
１０  ＲＦ−ＩＤタグ
１１  アンテナパターン
１２  ＩＣチップ
１２０  チップ配設領域
１２１  チップ側パターン
１３  タグページ
１３０  タグシート
２１  表表紙
２２  裏表紙
２３  背表紙
４０  連続シート
【図１】
2006137014.tif 000003
【図２】
2006137014.tif 000004
【図３】
2006137014.tif 000005
【図４】
2006137014.tif 000006
【図５】
2006137014.tif 000007
【図６】
2006137014.tif 000008
【図７】
2006137014.tif 000009
【図８】
2006137014.tif 000010
【図９】
2006137014.tif 000011
【図１０】
2006137014.tif 000012
【図１１】
2006137014.tif 000013
【図１２】
2006137014.tif 000014